(57)【要約】【課題】足場板上に人が乗ったときでも足場板支持部材が倒れ、若しくは落下することを防止した足場板支持部材を提供する。【解決手段】木製残存型枠等の支持体に固定した縦部材と、足場板を支持する水平部材とを備え、該水平部材が該縦部材に対して角度調節可能になるように該水平部材の一端を該縦部材に取り付けてなる足場板支持部材において、前記水平部材の他端を地盤に立設した支柱に支持させたことを特徴とする足場板支持部材。【選択図】図１
0003123581.tif 000002
【実用新案登録請求の範囲】
【請求項１】
木製残存型枠等の支持体に固定した縦部材と、足場板を支持する水平部材とを備え、該水平部材が該縦部材に対して角度調節可能になるように該水平部材の一端を該縦部材に取り付けてなる足場板支持部材において、
前記水平部材の他端を地盤に立設した支柱に支持させたことを特徴とする足場板支持部材。
【考案の詳細な説明】
【技術分野】
【０００１】
本考案は、足場板を支持する足場板支持部材に関するものであり、例えば木製残存型枠等の支持体に取り付けられる足場板支持部材に係るものである。
【背景技術】
【０００２】
本考案者は、実用新案登録第３１１３７２２号公報において、木製残存型枠用の足場板支持部材を開示している。
【０００３】
まず、実用新案登録第３１１３７２２号公報に示す木製残存型枠用の足場板支持部材について、図４を参照して、説明する。
【０００４】
この木製残存型枠用の足場板支持部材２１は、木製残存型枠１に固定される縦部材２３と、足場板２５を支持する水平部材２７とよりなり、該水平部材２７が該縦部材２３に対して角度調節可能になるように該水平部材２７の一端２７ａを該縦部材２３に取り付け、該縦部材２３には木製残存型枠における水平方向の木材５（５ａ、５ｂ）の直径よりも小さな上下方向の間隔を置いて多数の透孔４１を備えさせ、当該多数の透孔４１のうちの一部の透孔４１にコーチスクリュー等の固着具４３を挿通して水平方向の木材５（５ａ、５ｂ）に打ち込むことにより該縦部材２３を木製残存型枠１に固定するようにしたものである。
【０００５】
水平方向の木材５（５ａ、５ｂ）は縦材３に固定されている。
【０００６】
水平部材２７の一端２７ａを回動軸２９を介して縦部材２３の上端２３ａに該水平部材２７が上下方向に回動自在になるように取り付け、縦部材２３には多数の透孔３１、３１・・・を上下方向に備えさせ、アーム３３の一端３３ａを水平部材２７にアーム３３が上下方向に回動自在になるように枢着し、アーム３３の他端３３ｂを多数の透孔３１、３１・・・における所望の一つの透孔３１に選択的に取り付けることができるようにしている。
【０００７】
また、水平部材２７の他端２７ｂに上端を開口した筒状体３５を立設し、該筒状体３５に支柱３７を挿入し、該支柱３７に手摺杆３９を取り付けている。
【特許文献１】実用新案登録第３１１３７２２号公報
【考案の開示】
【考案が解決しようとする課題】
【０００８】
しかるに、上記従来の足場板支持部材２１においては、足場板２５上に人が乗ったときには、人等の荷重により、足場板支持部材２１にはコーチスクリュー等の固着具４３を引き抜く方向の力（引抜力）が作用する。コーチスクリュー等の固着具４３は、引抜力には比較的弱い。従って、足場板２５上に人が乗ったときには、縦部材２３が木製残存型枠における水平方向の木材５（５ａ、５ｂ）から離れ、足場板支持部材２１全体が図４における右下方に倒れ、若しくは落下するおそれが生ずる。
【０００９】
このような状況に鑑み、本考案は、足場板上に人が乗ったときでも足場板支持部材が倒れ、若しくは落下することを防止した足場板支持部材を提供しようとしてなされたものである。
【課題を解決するための手段】
【００１０】
上記課題を解決するために、本考案は、下記の足場板支持部材を提供する。
【００１１】
木製残存型枠等の支持体に固定した縦部材と、足場板を支持する水平部材とを備え、該水平部材が該縦部材に対して角度調節可能になるように該水平部材の一端を該縦部材に取り付けてなる足場板支持部材において、
前記水平部材の他端を地盤に立設した支柱に支持させたことを特徴とする足場板支持部材。
【考案の効果】
【００１２】
本考案によれば、足場板を支持する水平部材は、一端が支持体に固定した縦部材に支持され、他端が地盤に立設した支柱に支持されるため、足場板上に人が乗ったときの人等の荷重は支持体に固定した縦部材と地盤に立設した支柱とに分散する。従って、支持体に固定した縦部材に対する荷重は上記従来の足場板支持部材の場合に比べて半減する。しかも、縦部材を支持体に固定しているコーチスクリュー等の固着具には引抜力ではなく、下方へのせん断力が作用することになる。コーチスクリュー等の固着具は、引抜力には比較的弱いが、せん断力には強い。
【００１３】
その結果、足場板上に人が乗ったときでも足場板支持部材が倒れ、若しくは落下することが確実に防止される。
【考案を実施するための最良の形態】
【００１４】
以下、足場板支持部材を取り付ける支持体が木製残存型枠である場合について、図１〜図３を参照して説明するが、支持体は木製残存型枠には限定されない。
【００１５】
以下の説明においては、上記従来の足場板支持部材におけるものと共通する部材、部分等については、上記従来の足場板支持部材に関する説明に用いた符号と同一の符号を用いる。
【００１６】
まず、本考案による足場板支持部材が上記従来の足場板支持部材と共通する点について説明する。
【００１７】
支持体の一例としての木製残存型枠１は、縦材３と、上下に積み重ねた状態で該縦材３に固定した水平方向の木材５、５・・・とよりなる。
【００１８】
縦材３は、適宜の間隔を置いて地盤７に固定される。
【００１９】
水平方向の木材５は、例えば間伐材等の丸太が好ましく用いられるが、角材であっても差し支えない。
【００２０】
図１における符号１１に示すものは、コンクリートの硬化後に除去される型枠であり、符号１３に示すものは、地盤７に固定されたアンカーである。
【００２１】
縦材３は、タイ材１５、１７を介して型枠１１とアンカー１３とに連結される。
【００２２】
本考案による足場板支持部材は、支持体としての木製残存型枠１に固定した縦部材２３と、足場板２５を支持する水平部材２７とを備え、該水平部材２７が該縦部材２３に対して角度調節可能になるように該水平部材２７の一端２７ａを回動軸２９を介して該縦部材２３の上端２３ａに取り付けてなるものである。
【００２３】
縦部材２３には木製残存型枠１における水平方向の木材５（５ａ、５ｂ）の直径よりも小さな上下方向の間隔を置いて多数の透孔４１を備えさせ、当該多数の透孔４１のうちの一部の透孔４１にコーチスクリュー等の固着具４３を挿通して水平方向の木材５（５ａ、５ｂ）に打ち込むことにより該縦部材２３を木製残存型枠１に固定する。
【００２４】
なお、前記従来の足場板支持部材においては、前述の如く、縦部材２３には多数の透孔３１、３１・・・を上下方向に備えさせ、アーム３３の一端３３ａを水平部材２７にアーム３３が上下方向に回動自在になるように枢着し、アーム３３の他端３３ｂを多数の透孔３１、３１・・・における所望の一つの透孔３１に選択的に取り付けることができるようにしているが、本考案においては、このアーム３３は不要である。
【００２５】
しかして、本考案においては、前記水平部材２７の他端２７ｂを地盤７に立設した支柱５１に支持させる。
【００２６】
水平部材２７の他端２７ｂを地盤７に立設した支柱５１に支持させるに当たっては、一例として、水平部材２７の他端２７ｂに締め具５３を取り付け、該締め具５３により支柱５１を把持させる。
【００２７】
締め具５３は、一例として図３に示すように、一対の挟持片５５ａ、５５ｂを一端側にて開閉自在に枢着５７すると共に他端側をボルト５９とナット６１とにより支柱５１の直径に応じて該支柱５１を締め付けるようにしてなるものである。ボルト５９は挟持片５５ａの他端に枢着６３されている。
【００２８】
図示の事例においては、水平部材２７の他端２７ｂに上記締め具５３と同様の締め具５３’を取り付け、該締め具５３’に別の支柱６５の下端を把持させ、該支柱６５に手摺杆６７を取り付けている。
【図面の簡単な説明】
【００２９】
【図１】木製残存型枠に取り付けられた足場板支持部材の一例を示す側面図である。
【図２】同上足場板支持部材を拡大して示す側面図である。
【図３】締め具の一例を示す平面図である。
【図４】従来の足場板支持部材を示す側面図である。
【符号の説明】
【００３０】
１  木製残存型枠  
３  縦材
５  木材
５ａ  木材
５ｂ  木材
７  地盤
１１  型枠
１３  アンカー
１５  タイ材
１７  タイ材
２１  足場板支持部材
２３  縦部材
２３ａ  上端
２５  足場板
２７  水平部材
２７ａ  一端
２７ｂ  他端
２９  回動軸
３１  透孔
３３  アーム
３３ａ  一端
３３ｂ  他端
３５  筒状体
３７  支柱
３９  手摺杆
４１  透孔
４３  固着具
５１  支柱
５３  締め具
５３’  締め具
５５ａ  挟持片
５５ｂ  挟持片
５７  枢着
５９  ボルト
６１  ナット
６３  枢着
６５  支柱
６７  手摺杆
【図１】
0003123581.tif 000003
【図２】
0003123581.tif 000004
【図３】
0003123581.tif 000005
【図４】
0003123581.tif 000006